(57)【要約】【課題】印刷関連部材を収容する収容体をロックするロック機構の使い勝手を向上させることができる印刷装置を提供する。【解決手段】インクジェット式プリンター１１は、印刷部と、印刷関連部材を収容する容器と、容器が挿入される挿入口と、挿入口の前面を開閉自在に覆う開閉カバー１７と、開閉カバー１７をロックするロック機構とを備える。ロック機構は、開閉カバー１７に設けられた貫通孔５２と、カバー隣接部４５に設けられるとともに貫通孔５２に係合して開閉カバー１７の開放動作を規制するロック位置と貫通孔５２から離れて開閉カバー１７の開放動作を許容するアンロック位置との間で変位する変位部材４７とを有する。【選択図】図１１
2018103528.tif 000002
【特許請求の範囲】
【請求項１】
媒体に印刷する印刷部と、
前記印刷部の印刷に関連する印刷関連部材を収容する収容体が挿入される挿入口と、
前記挿入口の前面を開閉自在に覆う開閉カバーと、
前記開閉カバーをロックするロック機構と、
を備え、
前記ロック機構は、
前記開閉カバー及び前記開閉カバーの周囲の外装部品のうちの一方に設けられた係合部と、
他方に設けられるとともに前記係合部に係合して前記開閉カバーの開放動作を規制するロック位置と前記係合部から離れて前記開閉カバーの開放動作を許容するアンロック位置との間で変位する変位部材と、
を備えることを特徴とする印刷装置。
【請求項２】
前記変位部材は、前記変位部材が前記アンロック位置に移動することを規制する規制部材を取り付けるための取付部を有し、前記ロック位置にあるときに前記取付部が露出され、前記アンロック位置にあるときに前記取付部の少なくとも一部が前記他方に収容されることを特徴とする請求項１に記載の印刷装置。
【請求項３】
前記開閉カバーの開放状態において、前記変位部材の前記ロック位置への変位動作を規制する変位規制部を備えることを特徴とする請求項１または請求項２に記載の印刷装置。
【請求項４】
前記変位部材は、前記開閉カバーの開閉方向と交差する方向に変位することを特徴とする請求項１〜請求項３のうちいずれか一項に記載の印刷装置。
【請求項５】
前記変位部材は、前記開閉カバーの周囲の外装部品に設けられていることを特徴とする請求項１〜請求項４のうちいずれか一項に記載の印刷装置。
【請求項６】
前記変位部材は、前記変位部材を変位動作させるために操作される操作部を有し、
前記他方には、前記操作部の移動を前記変位部材が前記ロック位置に変位した位置で規制する第１移動規制部と、前記操作部の移動を前記変位部材が前記アンロック位置に変位した位置で規制する第２移動規制部とが設けられていることを特徴とする請求項１〜請求項５のうちいずれか一項に記載の印刷装置。
【請求項７】
前記取付部は、前記規制部材を挿通可能な互いに連通した一対の開口であることを特徴とする請求項２に記載の印刷装置。
【請求項８】
一対の前記開口は、直線状に連通していることを特徴とする請求項７に記載の印刷装置。
【請求項９】
媒体に印刷する印刷部と、
前記印刷部の印刷に関連する印刷関連部材を収容し、装置本体に着脱可能に装着される収容体と、
前記収容体の引き出し動作を規制するロック機構と、
を備え、
前記ロック機構は、
前記収容体及び前記収容体の周囲の外装部品のうちの一方に設けられた係合部と、
他方に設けられるとともに前記係合部に係合して前記収容体の引き出し動作を規制するロック位置と前記係合部から離れて前記収容体の引き出し動作を許容するアンロック位置との間で変位する変位部材と、
を有し、
前記変位部材は、前記変位部材が前記アンロック位置に移動することを規制する規制部材を取り付けるための取付部を有し、前記ロック位置にあるときに前記取付部が露出され、前記アンロック位置にあるときに前記取付部の少なくとも一部が前記他方に収容されることを特徴とする印刷装置。
【発明の詳細な説明】
【技術分野】
【０００１】
本発明は、例えばインクジェット式プリンターなどの印刷装置に関する。
【背景技術】
【０００２】
一般に、印刷装置の一種として、インク収容体から供給されるインクを記録ヘッドから用紙などの媒体にインクを噴射して印刷を行うインクジェット式プリンターが知られている。こうしたプリンターの中には、インク収容体を収容する有底箱状の容器本体と、容器本体の開口を開閉する回動式の蓋体と、蓋体を閉状態で維持するためのロック機構とを備えたものがある（例えば、特許文献１参照）。
【０００３】
ロック機構は貫通孔を有した２つの板状部材を有しており、これら２つの板状部材のうちの一方は蓋体に設けられるとともに他方は容器本体に設けられている。そして、蓋体を閉状態にした際には２つの板状部材が係合するとともにこれらの貫通孔同士が繋がる状態になる。この状態で、２つの板状部材の貫通孔に南京錠のツルを通して施錠することで、蓋体が閉状態で維持されるようになっている。
【先行技術文献】
【特許文献】
【０００４】
【特許文献１】特開２０１５−４４３７１号公報
【発明の概要】
【発明が解決しようとする課題】
【０００５】
ところで、上述のようなプリンターのロック機構は、蓋体の開放動作を規制するためには、南京錠で施錠することが必須であるため、使い勝手があまり良いものではなかった。
本発明は、このような従来技術に存在する問題点に着目してなされたものである。その目的とするところは、印刷関連部材を収容する収容体をロックするロック機構の使い勝手を向上させることができる印刷装置を提供することにある。
【課題を解決するための手段】
【０００６】
以下、上記課題を解決するための手段及びその作用効果について記載する。
上記課題を解決する印刷装置は、媒体に印刷する印刷部と、前記印刷部の印刷に関連する印刷関連部材を収容する収容体が挿入される挿入口と、前記挿入口の前面を開閉自在に覆う開閉カバーと、前記開閉カバーをロックするロック機構と、を備え、前記ロック機構は、前記開閉カバー及び前記開閉カバーの周囲の外装部品のうちの一方に設けられた係合部と、他方に設けられるとともに前記係合部に係合して前記開閉カバーの開放動作を規制するロック位置と前記係合部から離れて前記開閉カバーの開放動作を許容するアンロック位置との間で変位する変位部材と、を備える。
【０００７】
この構成によれば、開閉カバーを閉じた状態で変位部材をロック位置に変位させるだけで錠を必要とすることなく開閉カバーの開放動作を規制して印刷関連部材を収容する収容体をロックすることができる。したがって、印刷関連部材を収容する収容体をロックするロック機構の使い勝手を向上させることができる。
【０００８】
上記印刷装置において、前記変位部材は、前記変位部材が前記アンロック位置に移動することを規制する規制部材を取り付けるための取付部を有し、前記ロック位置にあるときに前記取付部が露出され、前記アンロック位置にあるときに前記取付部の少なくとも一部が前記他方に収容されることが好ましい。
【０００９】
この構成によれば、変位部材がロック位置にあるときに露出される取付部に規制部材を取り付けることで、第三者が無断で開閉カバーを開けることができないようにすることができる。
【００１０】
上記印刷装置は、前記開閉カバーの開放状態において、前記変位部材の前記ロック位置への変位動作を規制する変位規制部を備えることが好ましい。
この構成によれば、開閉カバーの開放状態では変位部材がロック位置に位置することがなくなるので、開閉カバーを閉める際に、変位部材と、開閉カバーまたは隣接部とが衝突することを回避できる。
【００１１】
上記印刷装置において、前記変位部材は、前記開閉カバーの開閉方向と交差する方向に変位することが好ましい。
この構成によれば、変位部材を係合部に対して好適に係合させることができるので、変位部材によって開閉カバーの開放動作を効果的に規制することができる。
【００１２】
上記印刷装置において、前記変位部材は、前記開閉カバーの周囲の外装部品に設けられていることが好ましい。
この構成によれば、変位部材を開閉カバーに設ける必要がないので、開閉カバーの小型化及び軽量化に寄与することができる。
【００１３】
上記印刷装置において、前記変位部材は、前記変位部材を変位動作させるために操作される操作部を有し、前記他方には、前記操作部の移動を前記変位部材が前記ロック位置に変位した位置で規制する第１移動規制部と、前記操作部の移動を前記変位部材が前記アンロック位置に変位した位置で規制する第２移動規制部とが設けられていることが好ましい。
【００１４】
この構成によれば、操作部を操作することによって、変位部材をロック位置とアンロック位置との間で精度よく容易に変位させることができる。
上記印刷装置において、前記取付部は、前記規制部材を挿通可能な互いに連通した一対の開口であることが好ましい。
【００１５】
この構成によれば、一対の開口に一部を通すタイプの規制部材（例えば、ワイヤー錠や南京錠など）を取り付けることができる。
上記印刷装置において、一対の前記開口は、直線状に連通していることが好ましい。
【００１６】
この構成によれば、一対の開口に一部を通すタイプの規制部材（例えば、ワイヤー錠や南京錠など）を容易に取り付けることができる。
上記課題を解決する印刷装置は、媒体に印刷する印刷部と、前記印刷部の印刷に関連する印刷関連部材を収容し、装置本体に着脱可能に装着される収容体と、前記収容体の引き出し動作を規制するロック機構と、を備え、前記ロック機構は、前記収容体及び前記収容体の周囲の外装部品のうちの一方に設けられた係合部と、他方に設けられるとともに前記係合部に係合して前記収容体の引き出し動作を規制するロック位置と前記係合部から離れて前記収容体の引き出し動作を許容するアンロック位置との間で変位する変位部材と、を有し、前記変位部材は、前記変位部材が前記アンロック位置に移動することを規制する規制部材を取り付けるための取付部を有し、前記ロック位置にあるときに前記取付部が露出され、前記アンロック位置にあるときに前記取付部の少なくとも一部が前記他方に収容される。
【００１７】
この構成によれば、変位部材をロック位置に変位させるだけで錠を必要とすることなく印刷関連部材を収容する収容体をロックすることができる。加えて、変位部材がロック位置にあるときに露出される取付部に規制部材を取り付けることで、第三者が無断で収容体を引き出すことができないようにすることができる。したがって、印刷関連部材を収容する収容体をロックするロック機構の使い勝手を向上させることができる。
【図面の簡単な説明】
【００１８】
【図１】一実施形態のインクジェット式プリンターの斜視図。
【図２】インクジェット式プリンターの内部構造を示す正面模式図。
【図３】インクジェット式プリンターの開閉カバーの斜視図。
【図４】インクジェット式プリンターの変位部材の斜視図。
【図５】変位部材がアンロック位置にあるときの状態を示す要部拡大平断面図。
【図６】変位部材がロック位置にあるときの状態を示す要部拡大平断面図。
【図７】図５における変位部材と開閉カバーとの位置関係を示す斜視図。
【図８】図６における変位部材と開閉カバーとの位置関係を示す斜視図。
【図９】変位部材がアンロック位置にあるときの状態を示す要部拡大斜視図。
【図１０】変位部材がロック位置にあるときの状態を示す要部拡大斜視図。
【図１１】図１０において変位部材に南京錠を取り付けたときの状態を示す要部拡大斜視図。
【図１２】図１のインクジェット式プリンターにおいて開閉カバーが開位置にあるときの状態を示す要部拡大斜視図。
【発明を実施するための形態】
【００１９】
以下、印刷装置をインクジェット式プリンターに具体化した一実施形態を図面に従って説明する。
図１に示すように、印刷装置（装置本体）の一例としてのインクジェット式プリンター１１は、水平な使用場所に設置された状態で、高さ、奥行、及び幅としてそれぞれ所定の長さを有する筐体１２と、筐体１２上に配置された自動原稿送り装置１３を含む原稿読取装置とを備えている。
【００２０】
自動原稿送り装置１３は、複数の原稿Ｇを積層状態でセット可能なセット部１４と、セット部１４の下側に配置された排出部１５とを備えている。そして、セット部１４に積層状態でセットされた複数の原稿Ｇは、順次に原稿送り経路（図示略）を介して排出部１５へと反転されて送られる過程で筐体１２内の上端部に配置された読み取り部１６（図２参照）によって読み取られる。
【００２１】
筐体１２の前面部分には、底部側から上に向かって順に、開閉カバー１７、媒体の一例としての用紙Ｐを収容した用紙カセット１８が着脱自在に装着される装着口１９、印刷済みの用紙Ｐが排出される排出口２０、及び各種の操作を行うための操作部２１が設けられている。さらに、筐体１２の前面部分には、排出口２０から排出される印刷済みの用紙Ｐを支持する排出トレイ２２が前方側に突出するように着脱自在に取着されている。なお、筐体１２の前面とは、高さと幅を有し、ユーザーがインクジェット式プリンター１１の操作を主に行う側面のことをいう。
【００２２】
図１及び図２に示すように、筐体１２の内部には、開閉カバー１７、装着口１９、及び操作部２１の奥側となる位置に、収容体の一例としての容器２５が着脱可能に装着される装着部２６、用紙カセット１８における用紙Ｐを収容する部分である用紙収容部２７、及び用紙Ｐに印刷する印刷部２８がそれぞれ収容されている。開閉カバー１７は、装着部２６の前面を開閉自在に覆っている。また、インクジェット式プリンター１１は、筐体１２内の任意の位置に、インクジェット式プリンター１１全体を統括的に制御する制御部２９を備えている。
【００２３】
図２に示すように、装着部２６は、１つまたは複数（本実施形態では４つ）の容器２５を収容可能な収容空間を形成する枠体３０を備えている。枠体３０は、収容空間に手前側（前側）から連通する４つの挿入口３１を形成している。そして、４つの容器２５は、４つの挿入口３１を通じてそれぞれ収容空間に挿入されることにより、装着部２６に対して着脱可能に装着される。４つの挿入口３１の前面は、開閉カバー１７によって開閉自在に覆われている。
【００２４】
なお、本実施形態では、容器２５が挿入口３１に対して挿抜可能とされ、容器２５を挿入口３１に対して挿抜するときの方向が奥行方向Ｘとなり、奥行方向Ｘと直交する方向が幅方向Ｙとなる。幅方向Ｙと奥行方向Ｘは実質的に水平面に沿う。そして、４つの挿入口３１は、幅方向Ｙに沿って並んで配置されている。
【００２５】
各容器２５は、略直方体状をなしており、印刷部２８の印刷に関連する印刷関連部材の一例としてのインクを収容した可撓性を有する袋体３２を収容する。４つの容器２５に収容される袋体３２には、それぞれ互いに異なる色（本実施形態では、ブラック、シアン、マゼンタ、イエロー）のインクが収容されている。
【００２６】
この場合、ブラックインクは使用頻度が高いため、ブラックインクを収容する袋体３２及び当該袋体３２を収容する容器２５は、ブラックインク以外のインクを収容する袋体３２及び当該袋体３２を収容する容器２５よりも幅が広くなっている。本実施形態では、ブラックインクを収容する袋体３２を収容する容器２５は、図２において左端に位置する挿入口３１に挿入される。なお、各挿入口３１の幅は、挿入される容器２５の幅に合わせられている。
【００２７】
筐体１２内における用紙収容部２７の上側には、用紙Ｐを支持する支持台３３が配置されている。支持台３３上には、用紙収容部２７内に積層状態で収容された複数の用紙Ｐが搬送部（図示略）によって一枚ずつ反転されて搬送される。また、筐体１２内には、装着部２６に装着された容器２５内のインクを、供給ポンプ（図示略）の駆動によって印刷部２８へ供給する供給機構３４が収容されている。
【００２８】
供給機構３４は、一端側が装着部２６に接続された供給チューブ３５と、供給チューブ３５の他端側に接続された継手部３６と、継手部３６に一端側が接続されるとともに他端側が印刷部２８に接続されたフレキシブルチューブ３７とを備えている。供給機構３４は、４つの容器２５とそれぞれ対応するように、筐体１２内に４つ配置されている。
【００２９】
印刷部２８は、各容器２５内から各供給機構３４を介して供給される各インクを噴射する複数のノズル３８を有した記録ヘッド３９と、記録ヘッド３９を支持するキャリッジ４０とを備えている。キャリッジ４０は、筐体１２内に架設された幅方向Ｙに延びるガイド軸４１に往復移動可能に支持されている。すなわち、キャリッジ４０は、幅方向Ｙに沿って往復移動されるようになっている。
【００３０】
そして、キャリッジ４０をガイド軸４１に沿って幅方向Ｙに往復移動させながら記録ヘッド３９の各ノズル３８から支持台３３上に搬送される用紙Ｐにインクを噴射させることにより、用紙Ｐに対して印刷がなされる。この場合、各フレキシブルチューブ３７は、キャリッジ４０の往復移動に追従して撓み変位する。なお、図１に示すように、印刷済みの用紙Ｐは、排出口２０から排出トレイ２２上に排出される。
【００３１】
図１に示すように、筐体１２における開閉カバー１７に隣接する部分（図１では筐体１２の前面に向かって開閉カバー１７の左側に位置する部分）は、開閉カバー１７の周囲の外装部品の一例としてのカバー隣接部４５とされている。カバー隣接部４５は、筐体１２のコーナー部に位置している。カバー隣接部４５には、筐体１２のコーナー部のカーブに沿って湾曲するように延びる略矩形状の開口部４６が形成されている。そして、カバー隣接部４５内には、変位部材４７が開口部４６から露出するように変位動作可能に設けられている。
【００３２】
図１及び図３に示すように、開閉カバー１７は、幅方向Ｙに長い有底矩形箱状をなしており、閉じている状態（図１及び図３に示す状態）で鉛直面に沿う底壁４８のみが露出する。開閉カバー１７における幅方向Ｙで対向する２つの側壁のうち、カバー隣接部４５側に位置する方は第１側壁４９とされ、カバー隣接部４５側とは反対側に位置する方は第２側壁５０とされている。
【００３３】
開閉カバー１７が閉じた状態において、第１側壁４９及び第２側壁５０の下端部には、円環状の軸受部５１が対をなすように貫通して形成されている。一対の軸受部５１には、筐体１２における一対の軸受部５１と対応する位置に幅方向Ｙに突設された一対の軸（図示略）がそれぞれ挿入される。
【００３４】
そして、開閉カバー１７は、一対の軸（図示略）により、一対の軸受部５１において、回動可能に支持されている。すなわち、開閉カバー１７は、一対の軸受部５１において、幅方向Ｙに延びる軸線（軸受部５１の中心軸線）を回動中心として、底壁４８が鉛直面に沿う閉位置（図１に示す位置）と、閉位置から９０度回動して底壁４８が水平面に沿う開位置（図１２に示す位置）との間で回動可能に構成されている。
【００３５】
開閉カバー１７が閉位置にある状態において、第１側壁４９における軸受部５１と上側で隣り合う位置には係合部の一例としての矩形状の貫通孔５２が形成され、第１側壁４９における軸受部５１と奥側（底壁４８側とは反対側）で隣り合う位置には変位規制部５３が奥側に向かって突設されている。変位規制部５３は、開閉カバー１７が閉位置から開位置へ回動すると、開閉カバー１７が閉位置のときの貫通孔５２の位置に移動する。
【００３６】
図１及び図４に示すように、変位部材４７は、筐体１２のコーナー部のカーブに沿って往復移動可能（変位可能）になっており、筐体１２のコーナー部のカーブに沿って湾曲するように延びる帯状の本体部５４と、本体部５４の下端部における開閉カバー１７側とは反対側の端部に形成された略扇形板状をなす水平な水平部５５とを備えている。
【００３７】
本体部５４の長手方向の中央部における上部には、変位部材４７を移動させる際にユーザーの指が掛けられる操作部の一例としての指掛け部５６が突設されている。すなわち、指掛け部５６は、変位部材４７を長手方向に沿って変位動作させるためにユーザーによって操作される。この場合、指掛け部５６の先端は、筐体１２の外面と同じか当該外面よりも若干内側に位置していることが好ましい。さらにこの場合、変位部材４７は、開閉カバー１７が閉位置と開位置との間で回動する方向である開閉方向と交差する方向（好ましくは開閉方向と直交する方向）に変位する。
【００３８】
本体部５４における水平部５５の上側には、本体部５４の長手方向に並ぶ一対の開口５７が形成されている。一対の開口５７は、水平部５５の上方で互いに直線状に連通している。すなわち、一対の開口５７は、水平部５５の上方にて直線で結ぶことが可能になっている。
【００３９】
さらに、一対の開口５７は、例えば南京錠６０のツル６０ａ（図１１参照）やワイヤー錠のワイヤーを挿通することが可能になっている。つまり、一対の開口５７には、例えば南京錠６０（図１１参照）やワイヤー錠などの規制部材を取り付けることが可能になっている。本実施形態では、変位部材４７に錠を取り付けて変位部材４７の変位動作を規制するための取付部が一対の開口５７によって構成されている。
【００４０】
変位部材４７は、閉位置にある開閉カバー１７の貫通孔５２に係合して開閉カバー１７の開放動作（閉位置から開位置への回動）を規制するロック位置（図６及び図８に示す位置）と、貫通孔５２から離れて開閉カバー１７の開放動作を許容するアンロック位置（図５及び図７に示す位置）との間で変位する。
【００４１】
すなわち、変位部材４７は、閉位置にある開閉カバー１７の貫通孔５２に一部が挿入されて開閉カバー１７の開放動作を規制するロック位置と、貫通孔５２から退避して開閉カバー１７の開放動作を許容するアンロック位置との間で往復移動する。つまり、変位部材４７は、筐体１２における開閉カバー１７が設けられた側面（前面）と、当該側面（前面）に隣接する側面（図１では前面に向かって左側の側面）とに亘って変位する。
【００４２】
また、変位部材４７は、図１０に示すようにロック位置にあるときにカバー隣接部４５の開口部４６から一対の開口５７のほぼ全体が露出され、図９に示すようにアンロック位置にあるときに一対の開口５７のほぼ全体がカバー隣接部４５内に収容される。なお、本実施形態では、変位部材４７と、開閉カバー１７の貫通孔５２とによって、開閉カバー１７を閉位置でロックするロック機構が構成されている。
【００４３】
図９及び図１０に示すように、カバー隣接部４５には、指掛け部５６の移動を変位部材４７がロック位置に変位した位置で規制する第１移動規制部５８と、指掛け部５６の移動を変位部材４７がアンロック位置に変位した位置で規制する第２移動規制部５９とが設けられている。本実施形態では、第１移動規制部５８が開口部４６における開閉カバー１７側の端部によって構成され、第２移動規制部５９が開口部４６における開閉カバー１７側とは反対側の端部によって構成されている。
【００４４】
したがって、指掛け部５６を第１移動規制部５８に当接させることで、変位部材４７がロック位置に変位され、指掛け部５６を第２移動規制部５９に当接させることで、変位部材４７がアンロック位置に変位される。つまり、第１移動規制部５８及び第２移動規制部５９は、指掛け部５６のストッパーとして機能する。
【００４５】
次に、インクジェット式プリンター１１の使用時の作用について説明する。
さて、装着部２６に装着された容器２５内の袋体３２を交換する場合には、まず、図９及び図１０に示すように、指掛け部５６を第２移動規制部５９に当接させて、変位部材４７をロック位置からアンロック位置に変位させると、変位部材４７による開閉カバー１７のロック状態が解除される。続いて、図１２に示すように、開閉カバー１７を閉位置から開位置へ回動させると、装着部２６が露出する。続いて、容器２５を挿入口３１から引き出し、容器２５内の袋体３２を新しいものと交換した後、再び容器２５を挿入口３１から挿入して装着部２６に装着する。
【００４６】
このとき、開閉カバー１７が開位置にある状態（開閉カバー１７の開放状態）で変位部材４７をアンロック位置からロック位置へ変位させようとしても、変位部材４７のロック位置への変位動作が変位規制部５３によって規制される。つまり、変位部材４７のアンロック位置からロック位置への移動経路上に変位規制部５３が位置しているため、変位部材４７のロック位置への移動が変位規制部５３によって阻まれる。
【００４７】
続いて、開閉カバー１７を開位置から閉位置へ回動させると、装着部２６が開閉カバー１７によって覆われる。続いて、指掛け部５６を第１移動規制部５８に当接させて、変位部材４７をアンロック位置からロック位置に変位させると、変位部材４７によって開閉カバー１７がロック状態になる。これにより、開閉カバー１７の閉位置から開位置への回動動作が変位部材４７によって規制される。
【００４８】
続いて、図１１に示すように、変位部材４７の一対の開口５７に規制部材の一例としての南京錠６０のツル６０ａを挿通して南京錠６０を施錠すると、変位部材４７がロック状態になる。すると、変位部材４７がロック位置からアンロック位置に移動することが南京錠６０によって規制される。これにより、第三者が勝手に開閉カバー１７を簡単に開けることができなくなるので、装着部２６に装着された容器２５が無断で交換されたり盗まれたりすることが抑制される。
【００４９】
以上、詳述した実施形態によれば以下の効果を得ることができる。
（１）インクジェット式プリンター１１において、ロック機構は、開閉カバー１７に設けられた貫通孔５２と、カバー隣接部４５に設けられるとともに貫通孔５２に係合して開閉カバー１７の開放動作を規制するロック位置と貫通孔５２から離れて開閉カバー１７の開放動作を許容するアンロック位置との間で変位する変位部材４７とを備える。このため、開閉カバー１７を閉じた状態で変位部材４７をロック位置に変位させるだけで南京錠６０を必要とすることなく開閉カバー１７の開放動作を規制することができる。したがって、インクを収容する容器２５が挿入される挿入口３１の前面を開閉する開閉カバー１７をロックするロック機構の使い勝手を向上させることができる。
【００５０】
（２）インクジェット式プリンター１１において、変位部材４７は、変位部材４７がアンロック位置に移動することを規制する南京錠６０を取り付けるための一対の開口５７を有し、ロック位置にあるときに一対の開口５７のほぼ全体が露出され、アンロック位置にあるときに一対の開口５７のほぼ全体がカバー隣接部４５に収容される。このため、変位部材４７がロック位置にあるときに露出される一対の開口５７に南京錠６０を取り付けて施錠することで、第三者が無断で開閉カバー１７を開けることができないようにすることができる。加えて、変位部材４７はアンロック位置にあるときに一対の開口５７のほぼ全体がカバー隣接部４５に収容されるので、一対の開口５７に取り付ける南京錠６０のツル６０ａの長さに関係なく南京錠６０によって変位部材４７のアンロック位置への移動を規制することができる。因みに、従来の特許文献１に記載のロック機構では、南京錠のツルの長さが長い場合、南京錠で施錠しても蓋体がある程度開けられてしまう。
【００５１】
（３）インクジェット式プリンター１１は、開閉カバー１７の開放状態において、変位部材４７のロック位置への変位動作を規制する変位規制部５３を備えている。このため、開閉カバー１７の開放状態では変位部材４７がロック位置に位置することがなくなるので、開閉カバー１７を閉める際に開閉カバー１７が変位部材４７に衝突することを回避できる。
【００５２】
（４）インクジェット式プリンター１１において、変位部材４７は、開閉カバー１７の開閉方向と直交（交差）する方向に変位する。このため、変位部材４７を貫通孔５２に対して好適に係合させることができるので、変位部材４７によって開閉カバー１７の開放動作を効果的に規制することができる。
【００５３】
（５）インクジェット式プリンター１１において、変位部材４７は、カバー隣接部４５に設けられている。このため、変位部材４７を開閉カバー１７に設ける必要がないので、開閉カバー１７の小型化及び軽量化に寄与することができる。
【００５４】
（６）インクジェット式プリンター１１において、変位部材４７は、指掛け部５６を有し、カバー隣接部４５には、指掛け部５６の移動を変位部材４７がロック位置に変位した位置で規制する第１移動規制部５８と、指掛け部５６の移動を変位部材４７がアンロック位置に変位した位置で規制する第２移動規制部５９とが設けられている。このため、指掛け部５６を移動させることによって、変位部材４７をロック位置とアンロック位置との間で精度よく容易に変位させることができる。
【００５５】
（７）インクジェット式プリンター１１において、変位部材４７は、南京錠６０のツル６０ａを挿通可能な互いに連通した一対の開口５７を有している。このため、一対の開口５７に南京錠６０を確実に取り付けることができる。
【００５６】
（８）インクジェット式プリンター１１において、変位部材４７の一対の開口５７は、直線状に連通している。このため、一対の開口５７に南京錠６０のツル６０ａを容易に挿通することができるので、南京錠６０を一対の開口５７に対して容易に取り付けることができる。
【００５７】
（９）インクジェット式プリンター１１において、変位部材４７は、筐体１２における互いに隣接する２つの側面に亘って変位する。このため、筐体１２内の空間を有効利用することができるので、筐体１２の小型化に寄与することができる。
【００５８】
（１０）インクジェット式プリンター１１において、変位部材４７は、アンロック位置にあるときに一対の開口５７のほぼ全体がカバー隣接部４５に収容されて隠れる。このため、変位部材４７をアンロック位置に変位させることで、インクジェット式プリンター１１の外観が損なわれることを抑制することができる。
【００５９】
（１１）インクジェット式プリンター１１において、ロック機構（変位部材４７及び貫通孔５２）は、筐体１２の外面よりも内側に収められている。このため、筐体１２（インクジェット式プリンター１１）の外形サイズに対するロック機構の影響がない。すなわち、ロック機構によって筐体１２（インクジェット式プリンター１１）の外形サイズが大きくなることはない。
【００６０】
（変更例）
なお、上記実施形態は以下のように変更してもよい。
・複数の容器２５のうちの１つを、印刷部２８での印刷で生じる印刷関連部材の一例としてのインクの廃液を回収する廃液タンクとして機能させるようにしてもよい。この場合、インクの廃液は、記録ヘッド３９の各ノズル３８から印刷とは無関係にインクを吐出させるフラッシングや各ノズル３８から記録ヘッド３９内のインクを吸引ポンプなどによって吸引して強制的に排出させるクリーニング行った場合などに生じる。
【００６１】
・ロック機構は、印刷関連部材の一例としての用紙Ｐを収容した収容体の一例としての用紙カセット１８をロックするようにしてもよい。この場合、用紙Ｐを収容した用紙カセット１８を開閉カバー１７で覆う構成のほかに、開閉カバー１７を有さない構成として用紙カセット１８そのものをロック機構でロックするようにしてもよい。このようにすれば、装着口１９からの用紙カセット１８の引き出し動作をロック機構によって規制できる。さらにこの場合、ロック機構は、変位部材がロック位置にあるときに用紙カセット１８の引き出し動作を規制し、変位部材がアンロック位置にあるときに用紙カセット１８の引き出し動作を許容する。そして、変位部材がロック位置にあるときに露出される取付部に規制部材を取り付けることで、第三者が無断で用紙カセット１８を引き出すことができないようにすることができる。したがって、用紙Ｐを収容する用紙カセット１８をロックするロック機構の使い勝手を向上させることができる。
【００６２】
・ロック機構の変位部材４７は、開閉カバー１７の周囲の外装部品の一例としての用紙カセット１８に設けるようにしてもよい。このようにすれば、ロック機構を南京錠６０などによって施錠することで、容器２５の盗難だけでなく用紙Ｐの盗難も抑制することができる。
【００６３】
・ロック機構において、変位部材４７を開閉カバー１７に設けるとともに貫通孔５２をカバー隣接部４５に設けるようにしてもよい。
・ロック機構において、係合部は、変位部材４７と係合して開閉カバー１７の開放動作を規制できるものであれば、貫通孔５２以外の任意の構成に変更してもよい。すなわち、係合部は、変位部材４７が挿入される凹部によって構成してもよいし、変位部材４７を引っ掛けるフック部によって構成してもよい。
【００６４】
・変位部材４７の一対の開口５７は、必ずしも直線状に連通している必要はない。
・変位部材４７の取付部は、必ずしも南京錠６０のツル６０ａを挿通可能な互いに連通した一対の開口５７を有している必要はない。すなわち、例えば、取付部を一対の凹部によって構成し、一対の凹部に一対の挟持片が挿入されて挟むことによって取り付けられる錠を用いるようにしてもよい。
【００６５】
・変位部材４７の指掛け部５６を省略してもよい。
・インクジェット式プリンター１１において、第１移動規制部５８及び第２移動規制部５９のうち少なくとも一方を省略してもよい。
【００６６】
・インクジェット式プリンター１１において、変位部材４７は、必ずしも開閉カバー１７の開閉方向と直交（交差）する方向に変位する必要はない。
・開閉カバー１７の変位規制部５３を省略してもよい。
【００６７】
・変位部材４７における一対の開口５７は省略してもよい。
・変位部材４７は、アンロック位置にあるときに、必ずしも一対の開口５７の全体がカバー隣接部４５内に収容される必要はない。すなわち、変位部材４７は、アンロック位置にあるときに、一対の開口５７の一部がカバー隣接部４５内に収容されるようにしてもよい。
【００６８】
・媒体は、用紙Ｐに限らずプラスチックフィルムなどであってもよい。
・印刷装置はレーザープリンターであってもよい。
【符号の説明】
【００６９】
１１…印刷装置（装置本体）の一例としてのインクジェット式プリンター、１２…筐体、１３…自動原稿送り装置、１４…セット部、１５…排出部、１６…読み取り部、１７…開閉カバー、１８…用紙カセット、１９…装着口、２０…排出口、２１…操作部、２２…排出トレイ、２５…収容体の一例としての容器、２６…装着部、２７…用紙収容部、２８…印刷部、２９…制御部、３０…枠体、３１…挿入口、３２…印刷関連部材の一例としてのインクを収容した袋体、３３…支持台、３４…供給機構、３５…供給チューブ、３６…継手部、３７…フレキシブルチューブ、３８…ノズル、３９…記録ヘッド、４０…キャリッジ、４１…ガイド軸、４５…開閉カバー１７の周囲の外装部品の一例としてのカバー隣接部、４６…開口部、４７…ロック機構を構成する変位部材、４８…底壁、４９…第１側壁、５０…第２側壁、５１…軸受部、５２…ロック機構を構成する係合部の一例としての貫通孔、５３…変位規制部、５４…本体部、５５…水平部、５６…操作部の一例としての指掛け部、５７…取付部の一例としての開口、５８…第１移動規制部、５９…第２移動規制部、６０…規制部材の一例としての南京錠、６０ａ…ツル、Ｇ…原稿、Ｐ…媒体の一例としての用紙、Ｘ…奥行方向、Ｙ…幅方向。
【図１】
2018103528.tif 000003
【図２】
2018103528.tif 000004
【図３】
2018103528.tif 000005
【図４】
2018103528.tif 000006
【図５】
2018103528.tif 000007
【図６】
2018103528.tif 000008
【図７】
2018103528.tif 000009
【図８】
2018103528.tif 000010
【図９】
2018103528.tif 000011
【図１０】
2018103528.tif 000012
【図１１】
2018103528.tif 000013
【図１２】
2018103528.tif 000014